(57)【要約】【課題】媒体画像処理装置は、媒体画像の中から所定領域（例えば、印影や顔写真、その他の画像が付された領域）を抽出する場合に、オペレータの操作を煩雑にしかつ業務効率を低下させる場合が発生するという課題があった。【解決手段】媒体画像処理装置１は、媒体画像の中から所定領域を抽出し、所定領域中に存在すべき画像が所定領域からはみだす場合に、所定領域の抽出位置を変更する、または所定領域の抽出位置の変更をオペレータに要求する。また、画像輝度の特定の値を閾値として設定し、異なる閾値によって多階調の画像から複数の２値画像を生成して順次表示手段１９に表示させ、オペレータによって入力される好適な２値画像の選択命令を受け付ける。【選択図】　　　図１
2004062272.tif 000002
【特許請求の範囲】
【請求項１】
媒体画像の中から所定領域を抽出する所定領域抽出手段と、所定領域中に存在すべき画像が所定領域からはみだす場合に、はみだしを検出するはみだし検出手段と、
はみだしが検出された場合に、所定領域の抽出位置を変更する、または所定領域の抽出位置の変更をオペレータに要求する変更手段と、
を有することを特徴とする媒体画像処理装置。
【請求項２】
前記変更手段は、前記はみだし検出手段が検出した所定領域中に存在すべき画像のはみだし量に応じて、所定領域の抽出位置を変更することを特徴とする請求項１に記載の媒体画像処理装置。
【請求項３】
前記所定領域抽出手段は、特定の形状を検出することによって、所定領域を抽出することを特徴とする請求項１または２に記載の媒体画像処理装置。
【請求項４】
画像輝度の特定の値を閾値として設定する閾値設定手段と、
閾値によって多階調の画像を２値画像に変換する画像２値化手段と、
２値画像を外部に出力する画像出力手段と、
異なる閾値によって生成された複数の２値画像を順次出力する場合に、出力するタイミングを計測するタイミング計測手段と、
を有することを特徴とする媒体画像処理装置。
【請求項５】
前記閾値設定手段は、画像の輪郭がつぶれて画像が判別しにくくなる限界輝度値及び画像がかすれて見えなくなる限界輝度値を、閾値の上限及び下限として設定することを特徴とする請求項４に記載の媒体画像処理装置。
【請求項６】
前記媒体画像は印鑑が押捺された媒体の画像であり、前記所定領域中に存在すべき画像は印影画像であることを特徴とする請求項１〜５のいずれか１項に記載の媒体画像処理装置。
【請求項７】
媒体画像処理装置により、媒体画像に対して任意の処理を施す媒体画像処理方法において、
媒体画像の中から所定領域を抽出し、所定領域中に存在すべき画像が所定領域からはみだす場合に、所定領域の抽出位置を変更する、または所定領域の抽出位置の変更をオペレータに要求する
ことを特徴とする媒体画像処理方法。
【請求項８】
媒体画像処理装置により、媒体画像に対して任意の処理を施す媒体画像処理方法において、
異なる閾値によって多階調の画像から複数の２値画像を生成して順次表示手段に表示させ、オペレータによって入力される好適な２値画像の選択命令を受け付ける
ことを特徴とする媒体画像処理方法。
【請求項９】
コンピュータにより、請求項１〜６のいずれか１項に記載の媒体画像処理装置を実現するためのプログラム。
【発明の詳細な説明】
【０００１】
【発明の属する技術分野】
本発明は、媒体画像処理装置、特に印鑑が押捺された媒体の画像に所定の処理を施す印影処理装置に関する。
【０００２】
【従来の技術】
従来より、画像領域と文字領域が混在する媒体の画像（以下、媒体画像という）を取得して、媒体に記載された画像情報や文字情報を利用する機器が各種存在する。このような機器（以下、媒体画像処理装置という）として、例えば金融機関にて活用される印鑑照合機や印鑑登録機がある。また、この他にも、例えばパスポートや自動車免許証の照会システム、その他がある。
【０００３】
【発明が解決しようとする課題】
媒体画像処理装置は、媒体画像の中から所定領域を抽出する場合に、オペレータの操作を煩雑にしかつ業務効率を低下させる場合が発生するという課題があった。なお、ここでは、所定領域とは、用途に応じて抽出しようとする領域を意味しており、例えば、印影や顔写真、その他の画像が付された領域となる。以下に、印鑑照合機における印鑑照合を例にして、媒体画像処理装置の課題を詳述する。
【０００４】
印鑑照合機は、スキャナやその他の各種画像取得手段を有し、これにより印鑑が押捺された媒体画像のデータを取得するとともに、取得した媒体画像のデータをディスプレイ等の表示手段に出力して媒体画像を表示させる。オペレータは、表示手段に表示された媒体画像を目視しながら、キーボードやマウス等の情報入力手段を用いて様々な情報や所定の処理（例えば、印鑑照合処理等）の開始命令等を入力する。
【０００５】
この後、印鑑照合機は、所定領域（ここでは、印鑑が押捺される領域である印鑑枠）を抽出する。
【０００６】
印鑑枠の抽出は、例えば、印鑑照合機が媒体画像のフォーマットを認識してフォーマットに事前に設定された情報に基づいてなされる。または、印鑑枠の抽出は、印鑑照合機が印鑑特有の形状（すなわち、外形が丸形、小判型、角丸四角形で、その中に文字情報が付されているもの）に合致する形状を検出し、その周囲の矩形領域を抽出することによってなされる。なお、フォーマットの認識は、例えば印鑑照合機が媒体画像中の罫線の数や各罫線の長さを識別する、または、媒体画像の所定の位置に付されている帳票番号を読み取り、事前に登録されたフォーマットと比較することによってなされる。
【０００７】
しかしながら、印鑑が印鑑枠をはみだして押捺される場合や、押し損ないや印鑑違いによって、印鑑が印鑑枠外に再度押捺される場合等に、印影画像が印鑑枠中に収まりきらない場合があった。このような場合に、印鑑照合が正しく行なえなくなるため、オペレータは、キーボードやマウス等の情報入力手段によるマニュアル操作にて印影画像が付された領域を指定し、再度照合処理を実行させる必要があった。したがって、このような場合に、オペレータの操作を煩雑にしかつ業務効率を低下させていた。
【０００８】
また、押し損ないや印鑑違いによって、印鑑が印鑑枠外に再度押捺される場合に、照合に不適な方の印影画像が選択される場合があった。このような場合にも、印鑑照合が正しく行なえなくなるため、オペレータは、キーボードやマウス等の情報入力手段によるマニュアル操作にて適正な印影画像が付された領域を指定し、再度照合処理を実行させる必要があった。したがって、このような場合に、オペレータの操作を煩雑にしかつ業務効率を低下させていた。
【０００９】
また、印鑑照合をするために、例えば２５６階調の多値の媒体画像を２値化して印影画像を抽出する場合に、２値化するための輝度の閾値が適切でないときがあった。例えば、閾値が高すぎると、印影画像はかすれて見えなくなる。また閾値が低すぎると、印影画像の輪郭の画素が連結し、印影画像の輪郭がつぶれて画像が判別しにくくなる。このような場合にも、印鑑照合が正しく行なえなくなるため、オペレータは、キーボードやマウス等の情報入力手段によるマニュアル操作にて何段階も存在する閾値を逐次指定し、再度照合処理を実行させる必要があった。したがって、このような場合にも、オペレータの操作を煩雑にしかつ業務効率を低下させていた。
【００１０】
【課題を解決するための手段】
上記課題を解決するために第１の発明に係る媒体画像処理装置は、媒体画像の中から所定領域を抽出する所定領域抽出手段と、所定領域中に存在すべき画像が所定領域からはみだす場合に、はみだしを検出するはみだし検出手段と、はみだしが検出された場合に、所定領域の抽出位置を変更する、または所定領域の抽出位置の変更をオペレータに要求する変更手段と、を有することを特徴とする。
【００１１】
また、第２の発明に係る媒体画像処理装置は、第１の発明に加え、前記変更手段は、前記はみだし検出手段が検出した所定領域中に存在すべき画像のはみだし量に応じて、所定領域の抽出位置を変更することを特徴とする。
【００１２】
また、第３の発明に係る媒体画像処理装置は、第１または第２の発明に加え、前記所定領域抽出手段は、特定の形状を検出することによって、所定領域を抽出することを特徴とする。
【００１３】
また、第４の発明に係る媒体画像処理装置は、画像輝度の特定の値を閾値として設定する閾値設定手段と、閾値によって多階調の画像を２値画像に変換する画像２値化手段と、２値画像を外部に出力する画像出力手段と、異なる閾値によって生成された複数の２値画像を順次出力する場合に、出力するタイミングを計測するタイミング計測手段と、を有することを特徴とする。
【００１４】
また、第５の発明に係る媒体画像処理装置は、第４の発明に加え、前記閾値設定手段は、画像の輪郭がつぶれて画像が判別しにくくなる限界輝度値及び画像がかすれて見えなくなる限界輝度値を、閾値の上限及び下限として設定することを特徴とする。
【００１５】
また、第６の発明に係る媒体画像処理装置は、第１〜第５のいずれか１つの発明に加え、前記媒体画像は印鑑が押捺された媒体の画像であり、前記所定領域中に存在すべき画像は印影画像であることを特徴とする。
【００１６】
【発明の実施の形態】
以下に、印鑑照合機における印鑑照合を例にして、本発明に係る媒体画像処理装置を説明する。なお、各図はこの発明を理解できる程度に概略的に示してあるにすぎない。また、各図において、共通する要素については、同一の符号を付し、説明を省略する。
【００１７】
図１は本発明に係る媒体画像処理装置の構成を示す図である。
【００１８】
図１中、１は媒体画像処理装置であるコンピュータ、１１は演算手段、１３は記憶手段、１５はインストール手段、１７はスキャナ等の画像取得手段、１９はディスプレイ等の表示手段、２１はキーボードやマウス、その他の情報入力手段、３１は印鑑が押捺された帳票媒体（以下、印鑑帳票という）、３３はフロッピー（登録商標）ディスクやデジタルバーサタイルディスク（ＤＶＤ）、その他の記憶媒体を示している。
【００１９】
記憶媒体３３には各種のプログラムが格納されており、コンピュータ１は記憶媒体３３から各種プログラムをインストールすることによって媒体画像処理装置として機能することになる。
【００２０】
＜第１の実施の形態＞
本実施の形態は、印影画像のはみだしを検出して、印影画像として切り出す領域（以下、印影領域という）の座標位置をはみだしている方向にずらすものである。これにより、本実施の形態は、常にオペレータに適正な印影画像を提示することができ、もって業務効率の向上を図ることができる。
【００２１】
図２は第１の実施の形態に係る媒体画像処理装置の構成を示す図である。
【００２２】
図２は、コンピュータ１が、図１の記憶媒体３３から「印影領域抽出機能」プログラム、「はみだし検出機能」プログラム、「抽出位置変更機能」プログラムをインストールして、演算手段１１内部に印影領域抽出手段４１、はみだし検出手段４３、抽出位置変更手段４５を構築した状態を示している。
【００２３】
以下に、図３を用いて本実施の形態の動作を説明する。図３は第１の実施の形態の動作を示すフローチャートである。
【００２４】
ステップ（以下、Ｓという）１１において、コンピュータ１は、帳票読み込みを実行する。
【００２５】
具体的には、まず、オペレータが、印鑑帳票３１を画像取得手段１７の画像読み取り部に載置して情報入力手段２１から印鑑照合処理の開始命令を入力する。
すると、コンピュータ１は、画像取得手段１７を駆動させて印鑑帳票３１の画像を読み込ませる。このとき、画像取得手段１７は、印鑑帳票３１に光を照射して、その反射光または透過光を図示しないセンサによって受光し、これによって得られたデジタル信号をコンピュータ１に出力する。コンピュータ１は、画像取得手段１７から受け取ったデジタル信号（すなわち、印鑑帳票３１の媒体画像）を図示しないバッファ手段に一時保存する。
【００２６】
Ｓ１３において、コンピュータ１は、印影領域抽出手段４１により、印鑑帳票３１の媒体画像の中から印鑑枠と印影領域を抽出する。
【００２７】
具体的には、印影領域抽出手段４１は、まず、印鑑帳票３１の媒体画像の中から罫線の数や各罫線の長さを識別する、または、媒体画像の所定の位置に付されている帳票番号を読み取る。そして、事前に登録されたフォーマットと比較して媒体の種別を特定するとともに、媒体画像の中から罫線によって形成された矩形領域を検出し、その中の、媒体の種類毎に予め定義された印鑑枠の座標位置に近似するものを印鑑枠と見なし、印鑑枠を抽出する。または、印鑑特有の形状（すなわち、外形が丸形、小判型、角丸四角形で、その中に文字情報が付されているもの）に合致する形状を検出し、その周囲の矩形領域を抽出する。これによって印鑑枠を抽出する。
【００２８】
また、印影領域抽出手段４１は、予め定義された印影画像の輝度に基づいて、特定した印鑑枠中及び周辺の、画素が連結している領域を検出する、または、輝度が変化しているエッジを検出して、印鑑特有の形状（すなわち、外形が丸形、小判型、角丸四角形で、その中に文字情報が付されているもの）に合致する形状の領域を検出する。このようにして検出した領域が複数存在する場合に、番号を付して、優先順位の高いものを印影領域と見なして、印影領域を抽出する。なお、優先順位の高いものとは、すなわち、印鑑照合に用いる印影画像として適性度の高いものであり、例えば印影画像の印鑑枠からの距離や、印影画像の輪郭の鮮明度、印影画像の大きさ、末梢線の有無等、予め定められた条件を総合的に満たす度合いが高いものである。
【００２９】
コンピュータ１は、このようにして抽出した印影領域の情報を記憶手段１３に格納する。その際に、例えば、抽出した領域を１とし、それ以外を０としてマスク２値画像を生成し、その座標位置を格納する、または、印影画像に外接する四角形を生成し、その座標位置を格納する、または、印影画像の形状のパラメータ（中心座標、半径、傾き等）を格納する。
【００３０】
Ｓ１５において、コンピュータ１は、はみだし検出手段４３により、印影領域の端部と印鑑枠との関係から、印影領域が印鑑枠からはみだしていないかを検出する。
【００３１】
具体的には、はみだし検出手段４３は、印影領域をマスクした２値画像の画素が所定数以上印鑑枠の枠線上や枠線外に存在する場合や、印影領域に外接する四角形の座標位置が印鑑枠の枠線外に存在する場合、印影画像の形状のパラメータ（中心座標と半径と傾き）から計算される外接する四角形の座標位置が印鑑枠の枠線外に存在する場合に、「はみだし有り」と判定する。そして、印影領域の端部と印鑑枠との関係から、上下左右の、印影領域が印鑑枠からはみだしている方向と量を検出する。
【００３２】
なお、はみだしが無い場合は、本実施の形態の処理を終了し、印鑑照合の処理を行う。
【００３３】
Ｓ１７において、コンピュータ１は、抽出位置変更手段４５により、印影領域の抽出位置を変更する。これは、抽出位置変更手段４５が、はみだしている量（以下、はみだし量という）だけ、印影領域の座標位置をはみだしている方向にずらすことによって実行される。なお、このとき、印影領域が印鑑枠からはみだしている割合を、はみだし量として処理してもよい。
【００３４】
この後、コンピュータ１は、はみだしが無くなるまでＳ１５〜Ｓ１７の工程を繰り返し実行する。そして、はみだしが無くなったら、本実施の形態の処理を終了し、印鑑照合の処理を行う。
【００３５】
なお、印影領域の抽出位置の変更は、Ｓ１７において、まず、抽出位置変更手段４５が、表示手段１９に所定領域の抽出位置の変更を要求する画面を表示させ、これによりオペレータが情報入力手段２１から所定領域の抽出位置の変更を指示する命令を入力した場合に、実行するようにしてもよい。また、変更する量は、はみだし検出手段４３が検出したはみだし量ではなく、事前に設定された画素数分だけ、ずらすようにしてもよい。
【００３６】
また、抽出位置の変更を実行した場合に、その結果を表示手段１９に表示し、オペレータに確認させるようにしてもよい。
【００３７】
以上の通り、本実施の形態は、印影領域が印鑑枠からはみだしている場合に、はみだしが無くなるように、印影領域の座標位置を変更して再度抽出を行う。そのため、オペレータの操作を簡易にするとともに、印影が部分的に欠落するようなことをなくして、業務効率を向上させることができる。
【００３８】
＜第２の実施の形態＞
本実施の形態は、多値の媒体画像を２値化して印影画像を抽出する場合に、輝度の閾値を順次変更することによって複数の２値化画像を抽出し、抽出した複数の２値化画像を連続して表示手段１９に表示する。そして、オペレータに、好適と考えられる２値化画像が表示されたときを選択させて、好適な２値化画像を抽出する。これにより、本実施の形態は、常にオペレータに適正な印影画像を提示することができ、もって業務効率の向上を図ることができる。
【００３９】
図４は第２の実施の形態に係る媒体画像処理装置の構成を示す図である。
【００４０】
図４は、コンピュータ１が、図１の記憶媒体３３から「閾値設定機能」プログラム、「画像２値化機能」プログラム、「タイミング計測機能」プログラム、「画像出力機能」プログラムをインストールして、演算手段１１内部に閾値設定手段５１、画像２値化手段５３、タイミング計測手段５５、画像出力手段５７を構築した状態を示している。
【００４１】
以下に、図５及び図６を用いて本実施の形態の動作を説明する。図５は第２の実施の形態の動作を示すフローチャートであり、図６は２値化アニメーション表示を示す図である。
【００４２】
Ｓ３１において、コンピュータ１は、帳票読み込みを実行する。この工程は上述のＳ１１と同様である。
【００４３】
Ｓ３３において、コンピュータ１は、閾値設定手段５１により、閾値を設定する。
【００４４】
このとき、閾値設定手段５１は、最初に初期値Ｔｈ０を閾値Ｔとして設定する。そして、工程が後述のＳ４１からＳ３３に戻されるに従って、初期値Ｔｈ０から一定の輝度間隔ΔＴで、上限値ＴｈＭａｘと下限値ＴｈＭｉｎの間で増加または減少するように繰り返し設定する。
【００４５】
例えば、初期値Ｔｈ０を１２８、上限値ＴｈＭａｘを２５５、下限値ＴｈＭｉｎを０、一定の輝度間隔ΔＴを１とする場合、工程がＳ４１からＳ３３に戻されると、次の閾値Ｔは１２９となる。また、更に、工程がＳ４１からＳ３３に戻されると、次の閾値Ｔは１３０となる。これが、閾値Ｔが２５５になるまで繰り返され、閾値Ｔが２５５になると、その後は、一定の輝度間隔ΔＴを−１にし、２５４、２５３、…というように、１つづつ減少させる。そして、閾値Ｔが０になると、その後は、一定の輝度間隔ΔＴを再び１にし、１、２、…というように、１つづつ増加させる。これを繰り返し実行する。
【００４６】
ただし、上述の説明では、上限値ＴｈＭａｘを２５５、下限値ＴｈＭｉｎを０としたが、実際は印影画像の輝度範囲はこれよりも狭い帯域に存在する。そのため、上限側のある値を上回る閾値による２値化画像は、印影画像の輪郭周辺の画素が連結し、印影画像の輪郭がつぶれてしまう。その結果、印影画像が判別しにくくなる。逆に、下限側のある値を下回る閾値による２値化画像は、印影画像がかすれて、消失してしまう。その結果、同様に、印影画像が判別しにくくなる。なお、図６の右端に示す画像は上限側のある値を上回る閾値による２値化画像を、また図６の中央に示す画像は好適と考えられる２値化画像を、また図６の左端に示す画像は下限側のある値を下回る閾値による２値化画像を示している。
【００４７】
したがって、本実施の形態では、画像の輪郭がつぶれて画像が判別しにくくなる限界輝度値を上限値ＴｈＭａｘとし、画像がかすれて見えなくなる限界輝度値を下限値ＴｈＭｉｎとして設定するものとする。これら上限値ＴｈＭａｘ及び下限値ＴｈＭｉｎは、媒体画像処理装置の用途に応じて抽出しようとする画像のかすれやつぶれとエッジ強度や輝度分布等との関連を示すデータを事前に採取しておき、このデータに基づいて定めるのが望ましい。なお、エッジ強度とは、印影画像の内側と外側のコントラストの差異を意味する。
【００４８】
Ｓ３５において、コンピュータ１は、画像２値化手段５３により、閾値設定手段５１が設定した閾値Ｔを用いて媒体画像を２値化する。
【００４９】
Ｓ３７において、コンピュータ１は、タイミング計測手段５５により、画像出力手段５７が前回媒体画像を表示手段１９に出力した時から現在までの経過時間を計測する。経過時間が所定値を越えている場合は、工程をＳ３９に進め、経過時間が所定値を越えていない場合は、所定値を越えるまで一定時間間隔で経過時間を計測する。これにより、コンピュータ１は、表示手段１９に、２値化された媒体画像を一定時間間隔で連続して表示させることができる。これによって、例えば、図６に示すように、２値化された媒体画像をアニメーションとして表示させることができる。すなわち、時間ｔ１〜ｔ５にかけて下限側の閾値〜上限側の閾値による２値画像を連続して表示し、時間ｔ６〜ｔ１０にかけて上限側の閾値〜下限側の閾値による２値画像を連続して表示することを繰り返し実行することができる。なお、このときの一定時間間隔の長さを変更することにより、アニメーションの表示速度を調整することもできる。
【００５０】
Ｓ３９において、コンピュータ１は、画像出力手段５７により、画像２値化手段５３が２値化した媒体画像を表示手段１９に出力する。
【００５１】
この後、表示手段１９は２値化された媒体画像を表示する。これを見たオペレータは、媒体画像が好適なものである場合に、情報入力手段２１により、媒体画像の決定を入力する。また、媒体画像が不適なものである場合に、情報入力手段２１により、次の媒体画像を表示させる命令を入力する、または、何も入力せずにそのまま放置する。
【００５２】
Ｓ４１において、コンピュータ１は、オペレータにより決定が入力されたかを検出する。決定の入力が有る場合は、本実施の形態の処理を終了し、印鑑照合の処理を行う。決定の入力が無い場合は、工程をＳ３３に戻し、オペレータによる決定の入力がなされるまでＳ３３〜Ｓ４１の工程を繰り返し実行する。そして、オペレータによる決定の入力がなされたら、本実施の形態の処理を終了し、印鑑照合の処理を行う。
【００５３】
以上の通り、本実施の形態は、段階的に閾値を変更し、これに基づいて２値化された媒体画像を抽出して、それをアニメーションとして表示手段１９に表示させることができる。そのため、オペレータは、目視確認により、好適であると考えられる２値化された媒体画像が表示された場合に、決定を入力すればよいので、最適な閾値を設定したのと同様の効果を得ることができ、オペレータの操作を簡易にするとともに、印影が部分的に欠落する、または、印影の輪郭の画素が連結するようなことをなくして、業務効率を向上させることができる。
【００５４】
本発明は上記の実施の形態に限定されることなく、本発明の要旨を逸脱しない範囲で種々の応用及び変形が考えられる。
【００５５】
例えば、上述の第１及び第２の実施の形態では、印鑑照合機を例にして媒体画像処理装置を説明したが、印鑑登録機、パスポートや自動車免許証の照会システム、その他の媒体画像処理装置（すなわち、媒体画像処理装置は画像領域と文字領域が混在する媒体画像を取得して、媒体に記載された画像情報や文字情報を利用する機器）に適用可能である。
【００５６】
また、例えば、上述の第１及び第２の実施の形態では、印影領域を所定領域として説明したが、所定領域はこれに限らず、用途に応じて、顔写真やその他の抽出しようとする画像が付された領域に変わり得る。
【００５７】
また、例えば、上述の第１及び第２の実施の形態では、コンピュータ１は、各種プログラムを記憶媒体３３からインストールするものとして説明したが、通信回線網を介して外部のコンピュータから各種プログラムをインストールするようにしてもよい。
【００５８】
本発明は、このような種々の応用及び変形も含むものである。
【００５９】
【発明の効果】
以上説明したように、本発明に係る媒体画像処理装置は、媒体画像の中から所定領域（例えば、印影や顔写真、その他の画像が付された領域）を抽出する場合に、オペレータの操作を簡易にして、業務効率を向上させることができる。
【図面の簡単な説明】
【図１】媒体画像処理装置の構成を示す図である。
【図２】第１の実施の形態に係る媒体画像処理装置の構成を示す図である。
【図３】第１の実施の形態の動作を示すフローチャートである。
【図４】第２の実施の形態に係る媒体画像処理装置の構成を示す図である。
【図５】第２の実施の形態の動作を示すフローチャートである。
【図６】２値化アニメーション表示を示す図である。
【符号の説明】
１　コンピュータ
１１　演算手段
１３　記憶手段
１５　インストール手段
１７　画像取得手段
１９　表示手段
２１　情報入力手段
３１　印鑑帳票
３３　記憶媒体
【図１】
2004062272.tif 000003
【図２】
2004062272.tif 000004
【図３】
2004062272.tif 000005
【図４】
2004062272.tif 000006
【図５】
2004062272.tif 000007
【図６】
2004062272.tif 000008